(57)【特許請求の範囲】
【請求項１】
台車の前方側両側にそれぞれ前車輪が取り付けられ、後方側に後車輪が取り付けられて、当該前車輪及び／又は後車輪が動力にて駆動される重量物用の駆動式運搬台車において、前記台車の前方側両側にそれぞれ取り付けられている前車輪は、台車の側部側から中央側に向けて縮径するテーパー状に形成されていると共に、相互に独立して駆動されることを特徴とする重量物用の駆動式運搬台車。
【請求項２】
巻取りウェブの周面に対向される巻取りウェブ受が運搬台車上に昇降可能かつ水平状態と垂直状態との間で傾動可能に設置されている巻取りウェブの運搬装置において、前記運搬台車は台車の前方側両側にそれぞれ前車輪が取り付けられていると共に、後方側に後車輪が取り付けられており、前記台車の前方側両側にそれぞれ取り付けられている前車輪は、台車の側部側から中央側に向けて縮径するテーパー状に形成され、相互に独立して駆動される駆動式運搬台車であることを特徴とする巻取りウェブの運搬装置。
【請求項３】
巻取りウェブ受は、流体圧シリンダーによって、その長手方向に伸縮自在とされていることを特徴とする請求項２記載の巻取りウェブの運搬装置。
【発明の詳細な説明】
【０００１】
【発明の属する技術分野】
この発明は、動力によって駆動され、重量物を運搬する際に使用される運搬用台車に関し、特に、合成樹脂フィルム、紙、フィルムラミネート紙などのシートを巻取軸に巻き取った巻取りウェブを運搬する際に使用される運搬用台車であって、狭い工場内での作業に適した小回りの利く重量物用の駆動式運搬台車と、これを利用した巻取りウェブの運搬装置に関する。
【０００２】
【従来の技術】
従来、動力によって駆動され、重量物を運搬する際に使用される駆動式運搬台車は、図６に現すようにモータ３６で台車の後輪を駆動する、あるいは（図示していないが）モータで台車の前輪を駆動するようになっており、このように後輪あるいは前輪に加えられた駆動力によって直進する（直線的に前進、あるいは後退する）ように構成されていた。
【０００３】
また、このような運搬台車の上に、巻取りウェブの周面に対向される巻取りウェブ受１９が昇降可能かつ水平状態と垂直状態との間で傾動可能に設置されている従来の巻取りウェブの運搬装置（図６）において、図５図示のようにウェブ受１９を垂直にした後、ウェブ受け爪２０の垂直方向高さを調整する場合には、すなわち巻取りウェブ受１９の長手方向の長さを調節する場合には、運搬用台車上に回動自在に取り付けられている流体圧シリンダー１３ａ、そのロッド１５及びロッド１５に取り付けられていて先端側でウェブ受支持台１８を支える腕片１７に回動自在に連結されているリンク杆１６、運搬用台車上に回動自在に取り付けられている流体圧シリンダー１３ｂ、及び運搬用台車上に回動自在に取り付けられていると共にその中間部で前記流体圧シリンダー１３ｂの先端側と回動自在に連結され、先端側でウェブ受支持台１８に回動自在に連結されているリンク杆１４によって構成されているリンク機構を駆動させ、ウェブ受け爪２０の垂直方向高さを調整していた。
【０００４】
【発明により解決しようとする課題】
前記従来の駆動式運搬台車においては、後輪あるいは前輪に加えられた駆動力によって直進する（直線的に前進、あるいは後退する）ように構成されていたので、進行する方向を回転させようとする場合、大きく回転する必要があった。すなわち、回転半径が大きくなり、小回り特性に優れていなかった。このため、狭い工場内で使用するには適していなかった。
【０００５】
進行方向を変える（回転させる）際に小回りが利くようにするために、台車の後方に走行用アタッチメントを取り付けることもあるが、この場合には、台車の前後方向長さが大きくなるので、やはり狭い工場内で使用するには適さなかった。また、運搬用台車が停止している位置で、台車の前方が向いている方向の角度を、機械的に大きく変えることもできるが、この場合にも、台車の回転半径が大きくなるという点は同一であり、やはり狭い工場内で使用するには適さなかった。
【０００６】
また、このような運搬用台車の上に、巻取りウェブの周面に対向される巻取りウェブ受１９が昇降可能かつ水平状態と垂直状態との間で傾動可能に設置されている従来の巻取りウェブの運搬装置では、同じく小回りが利きにくいため、狭い工場内で使用する際に、不便さを余儀なくされていた。
【０００７】
更に、このような従来の巻取りウェブの運搬装置で、ウェブ受１９を垂直にした後、リンク機構を駆動させてウェブ受け爪２０の垂直方向高さを調整しようとすると、ウェブ受１９の垂直方向における傾斜角度が変わってしまい、使いやすさを疎外するという問題点があった。
【０００８】
本発明は、前記従来の問題点に鑑みて、狭い工場内での作業に適した、小型で小回りの利く重量物用の駆動式運搬台車を提供すると共に、この小回りの利く重量物用の駆動式運搬台車を利用することによって、台車の上に巻取りウェブ２２の周面に対向される巻取りウェブ受１９が昇降可能かつ水平状態と垂直状態との間で傾動可能に設置されている巻取りウェブの運搬装置であって、同じく狭い工場内での作業に適した、小型で小回りの利く巻取りウェブの運搬装置を提供すること、更に、ウェブ受１９を垂直にした後、当該ウェブ受１９の垂直状態を安定的に維持したまま、ウェブ受け爪２０の垂直方向高さの調整を、すなわち巻取りウェブ受１９の長手方向の長さの調節を、簡単に行うことのできる巻取りウェブの運搬装置を提供することを目的としている。
【０００９】
【課題を解決するための手段】
本発明は、動力駆動の運搬用台車において、台車の前方側両側にそれぞれ前車輪が、又、後方側に後車輪が取り付けられており、前記台車の前方側両側にそれぞれ取り付けられている前車輪は、台車の側部側から中央側に向けて縮径するテーパー状に形成され、相互に独立して駆動されるように構成した重量物用の駆動式運搬台車を開発することによって前記課題を解決したものであり、この駆動式運搬台車の上に巻取りウェブの周面に対向される巻取りウェブ受を昇降可能かつ水平状態と垂直状態との間で傾動可能に設置して巻取りウェブの運搬装置を構成することにより、小回りの利く、狭い工場内での作業に適した巻取りウェブの運搬装置を提供することを可能ならしめ、また巻取りウェブ受を、流体圧シリンダーによって、その長手方向に伸縮自在に構成することによって前記課題を解決したものである。
【００１０】
【発明の実施の形態】
この発明が提案する重量物用の駆動式運搬台車は、台車の前方側両側にそれぞれ前車輪が取り付けられ、後方側に後車輪が取り付けられて、当該前車輪及び／又は後車輪が動力にて駆動される運搬用台車において、前記台車の前方側両側にそれぞれ取り付けられている前車輪１、２は、台車の側部側から中央側に向けて縮径するテーパー状に形成されていると共に、相互に独立して駆動されることを特徴とするものである。
【００１１】
すなわち、本発明の重量物用の駆動式運搬台車１０においては、図１（ｂ）図示のように、台車の前方側両側にそれぞれ取り付けられている前車輪１、２は、台車の側部側から中央側に向けて縮径するテーパー状に形成されており、これらの前車輪１、２は、それぞれ、電動モータ４、プーリ６、タイミングベルト８からなる駆動機構によって、あるいは電動モータ５、プーリ７、タイミングベルト９からなる駆動機構によって、それぞれ、別個独立に駆動されるようになっている。これによって、電動モータ４、５の双方を同速度にて駆動させ、前車輪１、２を同速度で回転させれば、運搬台車は、図２（ｂ）中、矢示２４のように前進、あるいは矢示２４と逆方向に後退する（すなわち、直進運動を行う）。一方、電動モータ４を停止させ、電動モータ５のみ駆動させて、前車輪２を回転させれば、運搬台車は、図２（ａ）中、矢示２５のように左方向へ回転し、電動モータ５を停止させ、電動モータ４のみ駆動させて、前車輪１を回転させれば、運搬台車は、図２（ｃ）中、矢示２６のように右方向へ回転する。図２（ａ）（左方向への回転）、図２（ｃ）（右方向への回転）いずれの場合であっても、台車の回転半径Ｌは、台車の横幅にすぎないので、極めて小さなスペースで、このような回転運動を行うことができる。すなわち、小回りの利く、小回り特性に優れた駆動式運搬台車を提供することができる。
【００１２】
次に本発明が提案する巻取りウェブの運搬装置は、巻取りウェブ２２の周面に対向される巻取りウェブ受１９が昇降可能かつ水平状態と垂直状態との間で傾動可能に運搬台車上に設置されている巻取りウェブの運搬装置において、当該運搬台車を前述した駆動式運搬台車１０によって構成したものである。
【００１３】
駆動式運搬台車１０は前述したように小回りの利く構成となっているので、狭い工場内での使用に適した巻取りウェブの運搬装置を提供することができる。
【００１４】
前記の巻取りウェブの運搬装置において、巻取りウェブ受１９を、流体圧シリンダー３３によって、その長手方向に伸縮自在に構成すれば、ウェブ受１９を垂直にした後、ウェブ受１９の垂直方向における傾斜角度を変えることなしに、ウェブ受け爪２０の垂直方向高さを調整することができ、巻取りウェブの運搬装置の使いやすさを向上させることができる。
【００１５】
以下、添付図面を用いて本発明の好ましい実施例を説明する。
【００１６】
【実施例１】
図１、図２は、本発明による重量物用の駆動式運搬台車の好ましい実施例を現すものである。
【００１７】
台車の前方側両側に前車輪１、２がそれぞれ取り付けられており、後方側には後車輪３が取り付けられている。この台車には、前車輪１、２をそれぞれ別個独立に駆動するための電動モータ４、５が備えられており、電動モータ４、５はそれぞれプーリ６、７、タイミングベルト８、９によって、前車輪１、２に接続されている。
【００１８】
本発明の駆動式運搬台車１０においては、台車の前方側両側にそれぞれ取り付けられている前車輪１、２は、図１（ｂ）に示されているように、台車の側部側から中央側に向けて縮径するテーパー状に形成されている。
【００１９】
以下、この駆動式運搬台車１０を狭い工場の中などで使用する場合について説明する。
【００２０】
駆動式運搬台車１０を直進させる場合には、電動モータ４、５の双方を同速度にて駆動させ、前車輪１、２を同速度で回転させる。これによって、運搬台車１０は、図２（ｂ）中、矢示２４のように前進、あるいは矢示２４と逆方向に後退する（すなわち、直進運動を行う）。一方、運搬台車１０の進行方向を曲げる場合には、例えば、電動モータ４を停止させ、電動モータ５のみ駆動させて、前車輪２を回転させることにより、図２（ａ）中、矢示２５のように左方向へ回転させ、あるいは、電動モータ５を停止させ、電動モータ４のみ駆動させて、前車輪１を回転させることにより、図２（ｃ）中、矢示２６のように右方向へ回転させる。
【００２１】
前記の電動モータ４、５の駆動、停止の制御は、制御部１２に備えられている制御機構を介して行うことができる。
【００２２】
右方向への回転（図２（ｃ））、左方向への回転（図２（ａ））いずれの場合であっても、回転移動する場合のその回転半径Ｌは、台車の横幅にすぎないので、極めて小さなスペースで、このような回転運動を行うことができる。
【００２３】
なお、前車輪１、２における台車の側部側から中央側に向けて縮径する割合は、前記のように一方の電動モータ及び前車輪を停止させて他方の電動モータ及び前車輪のみを駆動、回転させた時に、停止している一方の前車輪を中心として、台車の横幅Ｌに合わせて運搬台車１０が回転できるように縮径する割合としておくことが、運搬台車１０の小回り特性を最もよくさせると共に、当該小回りの際の安定した走行、進行を確保する上で、望ましい。
【００２４】
また、駆動式運搬台車１０の直進走行を考えて、前車輪１、２における台車の側部側から中央側に向けて縮径する割合は、両者同一としておくことが望ましい。
【００２５】
前記のように本発明の駆動式運搬台車１０は、台車の横幅Ｌを回転半径として回転運動できるので、小回りの性能がよく、狭い工場内においても効率よく作業を行うことができる。このように小回りよく、効率的に移動できる結果、電動モータ４、５を駆動させるために使用される電力を節約することができ、予め充電した電力を用いて電動モータ４、５を駆動させる場合であっても、１回の充電で長時間使用することができる。
【００２６】
なお、本実施例においては、電動モータ４、５からプーリ６、７、タイミングベルト８、９を介して前車輪１、２を回転駆動しているが、電動モータ４、５からの駆動力を前車輪１、２に伝達できる構成であれば、他の種々の構成を採用することができ、例えば、タイミングベルトではなく、チェーンを用いることもできる。また、電動モータ４、５に代えて、他の駆動手段を用いることもできる。
【００２７】
【実施例２】
図３、図４、図５は、本発明による重量物用の駆動式運搬台車を用いた巻取りウェブの運搬装置の好ましい実施例を現すものであり、前記実施例１で説明した駆動式運搬用台車１０の上に、巻取りウェブ２２の周面に対向される巻取りウェブ受１９が昇降可能かつ水平状態と垂直状態との間で傾動可能に設置され、巻取りウェブの運搬装置１１が構成されている。
【００２８】
すなわち、電動式運搬用台車１０の上に流体圧シリンダー１３ａ、１３ｂ、リンク杆１４がそれぞれ回動自在に取り付けられていると共に、流体圧シリンダー１３ａのロッド１５に取り付けられているリンク杆１６は、その先端側でウェブ受支持台１８を支える腕片１７に回動自在に連結され、リンク杆１４は、その先端がウェブ受支持台１８に回動自在に連結され、その中間部には流体圧シリンダー１３ｂの先端側が回動自在に連結されている。これらによって、いわゆるリンク機構が構成されており、図３（ａ）図示のように、巻取りウェブ受１９が最も低い位置にある状態から図３（ａ）中、矢示２７のように持ち上げて図３（ｂ）図示のように巻取りウェブ受１９が水平に持ち上げられた状態に、また図３（ｂ）図示の状態から図３（ｂ）中、矢示２８のように傾動させて、図５図示のように巻取りウェブ受１９を垂直にさせた状態に、又、それぞれの逆に動作させることができる。また、巻取りウェブ受１９はウェブ受支持台１８上に回動可能に支持されており、図３（ａ）中、矢示２７のように持ち上げてから、図３（ａ）中、矢示２９のように回転させて図３（ｂ）図示の状態にさせることができる。
【００２９】
このようにリンク機構を動作させて巻取りウェブ受１９を昇降可能、又、水平位置と垂直位置との間で傾動可能とすることは、巻取りウェブの運搬装置において公知であるので（例えば、本件出願人による特開平７−１５７１５５号）、これ以上の説明は省略する。このリンク機構の動作の制御も、前記の電動モータ４、５と同じく、制御部１２に備えられている制御機構を介して行う。
【００３０】
巻取りウェブ受１９には、ウェブ受け爪２０、２０が備えられており、回転レバー２３ａ、ｂによって、ウェブ受け爪２０、２０を両方向矢示３０（図３（ａ））のように回動させ、ウェブ２２を支える。また、巻取りウェブ受１９の本体３２の巻取りウェブ２２の周面に対向する側には、巻取りウェブ２２の湾曲した周面に対応する湾曲面を有する受け部材２１が取り付けられている。
【００３１】
本発明の巻取りウェブの運搬装置１１においては、ウェブ受け爪２０、２０を支持する支持杆３１が、巻取りウェブ受１９の本体３２に対して挿脱自在に取り付けられており、この支持杆３１の挿脱は、巻取りウェブ受１９の本体３２内に設けられている流体圧シリンダー３３によって制御されている。これによって、巻取りウェブ受１９は、その長手方向に伸縮自在となっており、その長手方向の長さが任意に調節可能になっている。
【００３２】
そこで、図５図示のように巻取りウェブ受１９を垂直にした後、ウェブ受け爪２０の垂直方向高さを調整する場合には、流体圧シリンダー３３を動作させて、ロッド３５を流体圧シリンダー３３内に出入りさせることにより、支持杆３１及びこれによって支持されているウェブ受け爪２０、２０を両方向矢示３４（図５）のように任意に上下動させ、巻取りウェブ受１９の垂直状態を正確に保ったまま、ウェブ受け爪２０、２０の垂直方向位置を修正できる。
【００３３】
【発明の効果】
この発明によれば、狭い工場内での作業に適した、小型で小回りの利く重量物用の駆動式運搬台車を提供すると共に、この台車の上に巻取りウェブ２２の周面に対向される巻取りウェブ受１９が昇降可能かつ水平状態と垂直状態との間で傾動可能に設置されている巻取りウェブの運搬装置であって、小回りの利く巻取りウェブの運搬装置を提供することができる。更に、このように小回りの利く巻取りウェブの運搬装置であって、ウェブ受１９を垂直にした後、その垂直状態を正確に維持したまま、ウェブ受け爪２０の垂直方向高さの調整を安定して正確に行うことのできる巻取りウェブの運搬装置を提供できる。
【図面の簡単な説明】
【図１】  本発明の重量物用の駆動式運搬台車を現す図であって、（ａ）は側面図、（ｂ）は正面図。
【図２】  本発明の重量物用の駆動式運搬台車の走行状態を説明する概略図であって、（ａ）は左方向に回転する状態を説明する概略平面図、（ｂ）は直進する状態を説明する概略平面図、（ｃ）は右方向に回転する状態を説明する概略平面図。
【図３】  本発明の巻取りウェブの運搬装置を現す図であって、（ａ）はウェブ受けが降下された状態の側面図、（ｂ）はウェブ受けを上昇させ、（ａ）図示の状態から９０度回転させた状態の側面図。
【図４】  本発明の巻取りウェブの運搬装置を現す図であって、ウェブ受けが上昇された状態の正面図。
【図５】  本発明の巻取りウェブの運搬装置を現す図であって、図４図示の状態からウェブ受けを垂直状態に傾動させた状態の側面図。
【図６】  従来の運搬用台車を用いた従来の巻取りウェブの運搬装置の側面図。
【符号の説明】
１、２  前車輪
３      後車輪
４、５  電動モータ
８、９  タイミングベルト
１０    電動式運搬台車
２２    巻取りウェブ
１９    巻取りウェブ受
１１    巻取りウェブの運搬装置
３３    流体圧シリンダー
【図１】
0004126417.tif 000002
【図２】
0004126417.tif 000003
【図３】
0004126417.tif 000004
【図４】
0004126417.tif 000005
【図５】
0004126417.tif 000006
【図６】
0004126417.tif 000007